(57)【要約】【課題】モータ及びばねの駆動機構を用いることなく駆動機構のスペースを少なくし、使用寿命が長い撮像装置用のろ光機構を提供する。【解決手段】ろ光機構１における駆動ユニット２０は、ガイド溝１１の長さ方向に沿って延在してソレノイドシェル２１０を画成する筒状電磁コイル２２、及び、結合ブラケット３０４と連結すると共に、ソレノイドシェル２１０内に滑り自在に挿入してなる心棒２３１及び心棒と同軸直線に連接するよう延在してなる連接棒２３２を有する従動素子２３を備えている。駆動ユニット２０のソレノイド弁としての電磁コイル２２によって、従動素子２３を駆動して結合ブラケット３０４を介してろ光ユニット３０をスライドさせ、複数のろ光レンズ３０１，３０２におけるいずれかのレンズがハウジング１０の穴１２に面することができる。【選択図】図１
0003120597.tif 000002
【実用新案登録請求の範囲】
【請求項１】
撮像装置の鏡筒へ入る光線をろ過するための手段であり、
前記光線の入射方向と直交する平面上にガイド溝が形成され、前記撮像装置の鏡筒に対応して前記光線の入射方向に面した正面に穴が設けられているハウジングと、
前記ハウジングに設けられ、前記鏡筒へ入る光線をろ過する複数のろ光レンズがホルダーで保持され、前記ホルダーは前記ろ光レンズが前記穴に面するよう前記ハウジングのガイド溝にスライド可能に設けられ、前記ホルダーの一端の下部に前記ガイド溝の外まで延在してなる結合ブラケットが形成されているろ光ユニットと、
前記ハウジングに設けられ、前記ガイド溝の長さ方向に沿って延在してソレノイドシェルを画成する筒状電磁コイルと、前記結合ブラケットと連結すると共に前記ソレノイドシェル内に滑り自在に挿入してなる心棒及び前記心棒と同軸直線に連接するよう延在してなる連接棒を有する従動素子と、を備えている駆動ユニットとからなり、
前記駆動ユニットのソレノイド弁としての電磁コイルによって、前記従動素子を駆動して前記連結ブラケットを介して前記ろ光ユニットをスライドさせ、前記複数のろ光レンズにおけるいずれかのレンズが前記ハウジングの穴に面することが可能となっていることを特徴とするろ光機構。
【請求項２】
前記ハウジングの前記ガイド溝を除いた箇所には、前記電磁コイルを保持するための取付座が設けられていることを特徴とする請求項１に記載のろ光機構。
【請求項３】
前記電磁コイルは、前記ソレノイドシェルを画成する筒状リールに巻き付けられ、当該リールから導電リード線が前記取付座に開設した通孔を介して引出されていることを特徴とする請求項２に記載のろ光機構。
【請求項４】
前記従動素子の心棒は、永久磁石とし、前記連接棒は、磁性を持たない材料により作られていることを特徴とする請求項１に記載のろ光機構。
【請求項５】
前記複数のレンズにおける１つのレンズが、透明レンズとすることを特徴とする請求項１に記載のろ光機構。
【考案の詳細な説明】
【技術分野】
【０００１】
本考案は、鏡筒へ入る光線をろ過するためのろ光機構に関し、特に撮像装置に用いられるろ光機構に関する。
【背景技術】
【０００２】
従来のビデオカメラでは、被写体が暗い状態のとき、撮像範囲において赤外線発光ダイオードなどを用いて補助的な照明とすることにより、良く撮影できるようにしているが、非常に明るい状態では、被写体の輪郭がぼんやりして白っぽく霧がかかったような映像となりがちである。
【０００３】
図４と図５は、従来の撮像装置用のろ光機構の構成を示す斜視図である。監視ビデオカメラ等の撮像装置のろ光手段としては、例えば、台湾実用新案公告第５６６７９１号に、監視ビデオカメラに用いられるろ光機構が提案されている。このろ光機構は、光検出回路（図示せず）に接続されたモータ５０１により、コイルばね５０２を介してレンズホルダー５０３が左側、右側にスライドするように駆動されている。レンズホルダー５０３には、透明レンズ５０５及びろ光レンズ５０４が保持されており、モータ５０１及びコイルばね５０２からなる駆動手段により左動、右動されることによって、ハウジング５０６に開けてある鏡筒穴５０７を遮蔽しながら、鏡筒へ入る光線をろ過したり（図４）、完全に透過させたり（図５）することができる。
【考案の開示】
【考案が解決しようとする課題】
【０００４】
従来のビデオカメラの構成では、モータ５０１及びコイルばね５０２を組み合せた駆動機構により、被写体の明暗状態に応じてスライド式のろ光レンズ５０４及び透明レンズ５０５を移動させることによってろ光状態や透明状態に切り替えることができ、映像の品質を向上させようとしているが、ハウジング５０６内にモータ５０１が設けられているため、モータ５０１が占るスペースが大きくなってしまう。また、レンズホルダー５０３は、コイルばね５０２によって左側と右側にスライド移動されるため、コイルばね５０２は使用時間の経過と共に疲労し、ばね性が弱まり、レンズ５０４，５０５を完全にスライドさせることができなくなり、両状態における鏡筒穴５０７の完全開口を確実に保持することができなくなるおそれがある。
【０００５】
本考案は、上記問題点に鑑みてなされたものであり、モータ及びばねの駆動機構を用いることなく駆動機構のスペースを少なくし、使用寿命が長い撮像装置用のろ光機構を提供することを目的とする。
【課題を解決するための手段】
【０００６】
前記目的を達成すべく本考案のろ光機構は、撮像装置の鏡筒へ入る光線をろ過するための手段であり、前記光線の入射方向と直交する平面上にガイド溝が形成され、前記撮像装置の鏡筒に対応して前記光線の入射方向に面した正面に穴が設けられているハウジングと、前記ハウジングに設けられ、前記鏡筒へ入る光線をろ過する複数のろ光レンズがホルダーで保持され、前記ホルダーは前記ろ光レンズが前記穴に面するよう前記ハウジングのガイド溝にスライド可能に設けられ、前記ホルダーの一端の下部に前記ガイド溝の外まで延在してなる結合ブラケットが形成されているろ光ユニットと、前記ハウジングに設けられ、前記ガイド溝の長さ方向に沿って延在してソレノイドシェルを画成する筒状電磁コイルと、前記結合ブラケットと連結すると共に前記ソレノイドシェル内に滑り自在に挿入してなる心棒及び前記心棒と同軸直線に連接するよう延在してなる連接棒を有する従動素子を備えている駆動ユニットとからなり、前記駆動ユニットのソレノイド弁としての電磁コイルによって、前記従動素子を駆動して前記連結ブラケットを介して前記ろ光ユニットをスライドさせ、前記複数のろ光レンズにおけるいずれかのレンズが前記ハウジングの穴に面することが可能となっているろ光機構を提供しようとするものである。
【０００７】
前記構成において、前記ハウジングの前記ガイド溝を除いた箇所にはさらに、前記電磁コイルを保持するための取付座が設けられている。
また、前記構成において、前記電磁コイルは好ましくは、前記ソレノイドシェルを画成する筒状リールに巻き付けられ、当該リールから導電リード線が前記取付座に開設した通孔を介して引出されている。
【０００８】
前記構成において、好ましくは、前記従動素子の心棒は永久磁石とし、前記連接棒は磁性を持たない材料により作られている。
また、前記複数のレンズにおける１つのレンズが透明レンズとすることが好ましい。
【考案の効果】
【０００９】
本考案のろ光機構の構造によれば、従来のろ光装置がろ光レンズをスライド駆動するために用いるモータを要せず、ソレノイド弁によるコンパクトな構成になり、その占有スペースを少なくすることができる。また、電磁コイルなどの磁力によりろ光ユニットをスライド駆動するため、従来装置で用いるコイルばねの疲労を気にせずに確実に定位にろ光ユニットをスライド移動させることができる。
【考案を実施するための最良の形態】
【００１０】
以下、本考案の一実施形態について、添付図面を参照しつつ説明する。
図１は、本考案の実施形態であるろ光機構の構成を示す分解斜視図、図２と図３は、同ろ光機構の組立斜視図である。
【００１１】
本考案のろ光機構１は、例えば、ビデオカメラなどの撮像装置（図示せず）の鏡筒へ入る光線をろ過するための手段であり、ハウジング１０、ろ光ユニット３０及び駆動ユニット２０から構成されている。
【００１２】
ハウジング１０は、図示のごとく、撮像装置内に取付けられており、撮像装置の鏡筒（図示せず）に対応して光線の入射方向に面した正面に穴１２が設けられ、光線の入射方向と直交する平面上にガイド溝１１が形成されている。ガイド溝１１の下にはさらに、穴１２の一方の開口に駆動ユニット２０を保持するブラケット穴１３１，１３２を開設した取付座１３が設けられている。該取付座１３の光線入射方向と直交する面には通孔１４が形成されている。
【００１３】
ろ光ユニット３０は、鏡筒へ入る光線をろ過する複数のろ光レンズ３０１、３０２が穴１２が開口するホルダー３００内に保持されており、ハウジング１０のガイド溝１１内にろ光レンズ３０１または３０２が穴１２に面するよう、ハウジング１０のガイド溝１１にスライド可能に設けられている。ホルダー３００の一端部には、結合ブラケット３０４がガイド溝１１から突出して下方へ延在している。なお、この例においては、ろ光レンズ３０１は一般の透明レンズとしている。
【００１４】
駆動ユニット２０は、ろ光ユニット３０に連結してハウジング１０の取付座１３に設けられており、電磁コイル２２と従動素子２３とを備えている。この例においては、電磁コイル２２は、ガイド溝１１の長さ方向に沿って延在しており、ソレノイドシェル２１０を画成する筒状リール２１に巻き付けられている。当該リール２１の両端部には、ブラケット穴１３１，１３２に対応して環状凸部２１１，２１２が設けられている。電磁コイル２２は、リール２１からの導電リード線Ａ、Ｂに電気的に接続されており、取付座１３に開設した通孔１４を介して引出され、撮像装置の光検出回路（図示せず）に電気的に接続されている。従動素子２３は、結合ブラケット３０４と連結すると共に、ソレノイドシェル２１０に軸沿いに滑り可能に延在してなる心棒２３１と、当該心棒２３１に同軸に連接してソレノイドシェルに滑り可能に延在してなる連接棒２３２とを有している。ロッド状の従動素子２３は電磁コイル２２に磁気的に誘導され、ソレノイドシェル２１０により滑動されるようになっている。なお、この例においては、従動素子２３の心棒２３１は永久磁石とし、連接棒２３２は磁性を持たない材料により作られていることが好ましい。
【００１５】
図２及び図３を参照しつつ本考案のろ光機構の動作を説明する。
図２に示されているように、眩しすぎる明るい光線が鏡筒を通じて図示しない光検知装置によって感知され、所定の第１の極性を有する電流を生成し、駆動ユニット２０の電磁コイル２２を介して従動素子２３を駆動してソレノイドシェル２１０から突出ることにより、ろ光ユニット３０をスライド移動させ、ろ光レンズ３０２を穴１２に直面させることができる。したがって、眩しすぎる光線をろ過することが可能となる。
【００１６】
図３に示されているように、鏡筒に入った光量がやや不足である場合、所定の第２の極性を有する電流を生成し、駆動ユニット２０の電磁コイル２２によって、従動素子２３を駆動してろ光ユニット３０をスライド移動させ、透明レンズ３０１がハウジング１０の穴１２に直面させることが可能となっている。
【産業上の利用可能性】
【００１７】
上記によれば、本考案のろ光機構は、従来装置のろ光レンズをスライド駆動するためのモータを用いず、占有スペースを少なくすることができ、ロレノイド弁だけのコンパクトな構成になる。ソレノイド弁などの磁力の誘導によりろ光ユニットをスライド駆動させるため、従来装置のコイルばねの疲労を気にせずに、確実かつ定位にろ光ユニットをスライド移動させることができる。
【図面の簡単な説明】
【００１８】
【図１】本考案の実施形態であるろ光機構の構成を示す分解斜視図である。
【図２】同ろ光機構の組立斜視図である。
【図３】同ろ光機構の組立斜視図である。
【図４】従来の撮像装置用のろ光機構の構成を示す組立斜視図である。
【図５】従来の撮像装置用のろ光機構の構成を示す組立斜視図である。
【符号の説明】
【００１９】
１  ろ光機構
１０  ハウジング
１１  ガイド溝
１２  穴
１３  取付座
１３１，１３２  ブラケット穴
１４  通孔
２０  駆動ユニット
２１  リール
２１０  ソレノイドシェル
２１１，２１２  凸部
２２  電磁コイル
Ａ、Ｂ  リード線
２３  従動素子
２３１  心棒
２３２  連接棒
３０  ろ光ユニット
３００  ホルダー
３０１，３０２  ろ光レンズ
３０４  結合ブラケット
【図１】
0003120597.tif 000003
【図２】
0003120597.tif 000004
【図３】
0003120597.tif 000005
【図４】
0003120597.tif 000006
【図５】
0003120597.tif 000007